(57)【要約】【課題】発光表示により使用者に示すことができる情報を多くする等することができる空気調和機用コントローラーを得る。【解決手段】複数の色を発光可能な発光表示部２０と、発光表示部２０の発光表示に係る設定画面を表示可能なメイン表示部１１と、メイン表示部１１に表示された設定に係る指示が入力されるタッチパネル１２と、メイン表示部１１に設定画面を表示させ、タッチパネル１２から送られる指示に基づいて、発光表示部２０に表示させる内容に表示色を割り当てる設定処理を行う制御装置３０のデータ処理部３２と、データ処理部３２の処理に係る設定を記憶するデータ記憶部３３とを備えるものである。【選択図】図１
2014126319.tif 000002
【特許請求の範囲】
【請求項１】
複数の色を発光可能な発光表示手段と、
前記発光表示手段の発光表示に係る設定画面を表示可能な設定表示手段と、
該設定表示手段に表示された設定に係る指示が入力される設定入力手段と、
前記設定表示手段に前記設定画面を表示させ、前記設定入力手段から送られる指示に基づいて、前記発光表示手段に表示させる内容に表示色を割り当てる設定処理を行う制御手段と、
該制御手段の処理に係る設定を記憶する記憶手段と
を備えることを特徴とする空気調和機用コントローラー。
【請求項２】
前記制御手段は、前記発光表示手段の表示用途を設定可能とすることを特徴とする請求項１に記載の空気調和機用コントローラー。
【請求項３】
運転モード、運転状態及び室温を前記表示用途とすることを特徴とする請求項２に記載の空気調和機用コントローラー。
【請求項４】
前記制御手段は、前記発光表示手段の表示形式を設定可能とすることを特徴とする請求項１〜３のいずれか一項に記載の空気調和機用コントローラー。
【請求項５】
前記発光表示手段の点灯、点滅及び消灯を前記表示形式とすることを特徴とする請求項４に記載の空気調和機用コントローラー。
【請求項６】
前記制御手段は、前記色の調整を設定可能とすることを特徴とする請求項１〜５のいずれか一項に記載の空気調和機用コントローラー。
【請求項７】
前記制御手段は、前記発光表示手段の点滅周期を設定可能とすることを特徴とする請求項１〜６のいずれか一項に記載の空気調和機用コントローラー。
【請求項８】
複数の色を発光可能な発光表示手段を有する室内機と、
請求項１〜７のいずれか一項に記載の空気調和機用コントローラーとを備え、
前記室内機と前記空気調和機用コントローラーとの間で、発光表示手段に表示させる色を指定するコマンドを送信可能とすることを特徴とする空気調和システム。
【請求項９】
複数の色を発光可能な発光表示手段を有する複数の室内機と、
請求項１〜７のいずれか一項に記載の複数の空気調和機用コントローラーとを備え、
各室内機及び各空気調和機用コントローラーに、グループ識別用に発光表示手段に表示させる色を割り当てることを特徴とする空気調和システム。
【発明の詳細な説明】
【技術分野】
【０００１】
この発明は空気調和機用コントローラー等に関するものである。特にコントローラーの発光表示に係るものである。
【背景技術】
【０００２】
例えば、空気調和機（空気調和装置）は、天井等、室内の高い位置に設置されていることが多いため、空気調和機の操作、状態表示等を行うためにコントローラーを用いることが多い。
【０００３】
従来の空気調和機のコントローラーは、操作面の運転／停止ボタンの上に運転状態表示エリアを設け、例えばＬＥＤの点灯／消灯／点滅によって運転状態（運転／停止／異常）を表示する等して、操作者が運転状態を確認できるようにしている（例えば、特許文献１参照）。
【先行技術文献】
【特許文献】
【０００４】
【特許文献１】特開２００９−２２９００９号公報（図１）
【発明の概要】
【発明が解決しようとする課題】
【０００５】
しかし、特許文献１のような空気調和機用コントローラーは、運転状態表示エリアにおけるＬＥＤの表示面積が小さく、さらに表示色数が少ない。このため、例えば表示可能な運転状態数が少ない等、運転状態表示エリアにおいて表示することができる情報の数が少なかった。また、表示できる情報が少ないことで、操作者等の要求に基づいて設定を行うことが困難であった。
【０００６】
この発明は、上記のような課題を解決するためになされたもので、使用者（ユーザー）の設定等による発光表示によって情報を多く示すことができる空気調和機用コントローラー等を得ることを目的とする。
【課題を解決するための手段】
【０００７】
この発明に係る空気調和機用コントローラーは、複数の色を発光可能な発光表示手段と、発光表示手段の発光表示に係る設定画面を表示可能な設定表示手段と、設定表示手段に表示された設定に係る指示が入力される設定入力手段と、設定表示手段に設定画面を表示させ、設定入力手段から送られる指示に基づいて、発光表示手段に表示させる内容に表示色を割り当てる設定処理を行う制御手段と、制御手段の処理に係る設定を記憶する記憶手段とを備えるものである。
【発明の効果】
【０００８】
この発明の空気調和機用コントローラーによれば、複数の色の発光表示を行うことができる発光表示手段に対し、制御手段が設定処理を行うことで、発光表示手段の発光表示の表示色の設定を行えるようにしたので、使用者の意思により、発光表示手段の発光表示内容に対して任意に表示色の設定を行い、表示内容を多くすることができる。
【図面の簡単な説明】
【０００９】
【図１】この発明の実施の形態１に係る空気調和機用コントローラー１の外観を示す図である。
【図２】この発明の実施の形態１の空気調和機用コントローラー１における制御装置３０の構成を示す図である。
【図３】この発明の発光表示部２０による発光表示の有無の設定に係る選択画面である。
【図４】この発明の実施の形態１に係る用途設定画面を示す図である。
【図５】この発明の実施の形態１に係る運転モード表示設定画面を示す図である。
【図６】この発明の実施の形態１に係る室温表示設定画面を示す図である。
【図７】この発明の実施の形態１に係る運転状態表示設定画面を示す図である。
【図８】この発明の実施の形態２に係る発光表示部２０による発光表示設定画面を示す図である。
【図９】この発明の実施の形態３に係る用途設定画面を示す図である。
【図１０】この発明の実施の形態４に係る空気調和機用コントローラーに係るグループ表示等を説明するための図である。
【図１１】空気調和機用コントローラー１から室内機６０に送信する信号例を表す図である。
【発明を実施するための形態】
【００１０】
実施の形態１．
図１はこの発明の実施の形態１に係る空気調和機用コントローラー１の外観を示す図である。本実施の形態における空気調和機用コントローラー１は、壁取り付け型のコントローラーである。
【００１１】
本実施の形態の空気調和機用コントローラー１はコントローラー本体１０と発光表示部２０とを有している。コントローラー本体１０は、さらにメイン表示部１１を有している。メイン表示部１１は、例えば空気調和機等の機能や動作状態等を文字、数字、記号、絵柄（アイコン、ピクトグラム、絵文字）等で表示する。また、タッチパネル１２と連携して、使用者が指示を入力するための仮想ボタン等を表示することができる。本実施の形態では、発光表示部２０の発光に係る設定画面を表示する設定画面表示手段となる。タッチパネル１２は、メイン表示部１１の表示画面に対応して、使用者が入力した指示等に係る信号を、後述する制御装置３０に送信する入力手段となる。本実施の形態では、メイン表示部１１に表示された設定画面に基づいて、使用者が仮想ボタンの選択等を行って指示するための設定指示入力手段となる。
【００１２】
発光表示部２０は、例えば空気調和機の運転モード（暖房、冷房、ドライ等）、運転状態（運転中、異常、停止）、温度センサー等（図示せず）の検出に係る室温等を、設定した表示色等により表示する発光表示手段である。例えば点灯だけでなく点滅等をさせることもできる。本実施の形態の空気調和機用コントローラー１においては、発光表示部２０をコントローラー本体１０の底面から突出するように設け、操作面を見たときに下側に位置するようにする。発光表示部２０をコントローラー本体１０の上面、操作面に設けると、周囲の光により、使用者が視認しにくくなる。発光表示部２０に周囲の光が入射しないようにするために、コントローラー本体１０による影ができる下側に設ける。ここで、本実施の形態では、発光表示部２０について、アクリル等の可視光が透過する材料により光源からの光を拡散し、表示面積を広くするようにして発光表示させる。そして、光源として三色ＬＥＤを使用し、複数色の表示を可能とする。本実施の形態では、例えば１０色（青、薄青、白、紫、緑、橙、赤、ピンク、ライム、黄）での表示を行うことができるものとする。
【００１３】
図２はこの発明の実施の形態１の空気調和機用コントローラー１における制御装置３０の構成を示す図である。制御装置３０はコントローラー本体１０に内蔵されている。本実施の形態の制御装置３０は、入力処理部３１、データ処理部３２、データ記憶部３３、表示処理部３４、通信処理部３５を有している。ここでは制御装置３０が各部を有している構成にしているが、独立した複数の手段で各部を構成し、信号（データ）の送受を行って処理等を行うようにしてもよい。
【００１４】
入力処理部３１は、タッチパネル１２から送られる信号を、データ処理部３２が処理できるような形式にする処理を行う。データ処理部３２は、入力処理部３１、通信処理部３５を介して入力されたデータを処理する。ここでは特に、発光表示部２０の設定に係る処理を行う。以下、使用者の指示については、タッチパネル１２、入力処理部３１を介して、データ処理部３２が処理を行うものとする。データ記憶部３３は、記憶手段を有し、各処理部が処理を行うために必要なデータを記憶する。本実施の形態では、特に発光表示部２０の表示についてなされた設定に係るデータを記憶する。
【００１５】
表示処理部３４は、データ処理部３２からの表示信号に基づいてメイン表示部１１、発光表示部２０の表示を行う。本実施の形態では、例えば使用者が発光表示部２０の発光表示に係る設定を行う際の選択画面等を表示する。通信処理部３５は、空気調和機（図示せず）から送られる信号を処理する。
【００１６】
前述したように、本実施の形態の空気調和機用コントローラー１では、発光表示部２０では複数色での表示等を行うことができることから、発光表示により多くの情報を提供することができる。このため、運転状態以外の表示を発光等にて行うことができる。また、例えば国、地域の習慣等により、色等が表す意味が異なることがある。このため、本実施の形態の空気調和機用コントローラー１は発光表示部２０の発光に係る設定を行うことができる。以下、各設定について説明する。
【００１７】
図３はこの発明の実施の形態１に係る発光表示部２０による発光表示の有無の設定に係る選択画面である。使用者は、メイン表示部１１に表示された図３に示す選択画面に基づいて、発光表示部２０による発光表示（ＬＥＤ表示）を使用するか使用しないかについて、タッチパネル１２を介した指示を行うことができる。使用者が使用しないとの選択をした場合には、発光表示部２０は消灯とする。発光表示部２０による発光表示の有無を選択設定できるようにすることで、不要な表示を防止し、節電等をはかることができる。
【００１８】
図４はこの発明の実施の形態１に係る用途設定画面を示す図である。発光表示部２０による発光表示を行う設定にした場合に、使用者は、メイン表示部１１に表示された図４に示す選択画面に基づいて、タッチパネル１２を介して用途の種類を指示することができる。本実施の形態では、図４に示すように、運転モード、室温、運転状態の３種類の用途から、選択可能であるものとする。ただ、これらの用途及び数に限定するものではない。
【００１９】
図５はこの発明の実施の形態１に係る運転モード表示設定画面を示す図である。使用者は用途設定において、運転モード表示を行う設定とした場合に、メイン表示部１１に表示された図５（ａ）に示す選択画面に基づいて、タッチパネル１２を介し、用途の種類を指示することができる。本実施の形態においては、使用者は、図５（ｂ）に示すように、冷房、ドライ、送風、自動、セットバック（上限温度、下限温度を定めた設定温度範囲内での運転）、暖房の運転モードに対応する表示色及び表示形式（点灯、点滅、消灯）を指示することができる。また、運転状態を示すものであるが、異常、停止についても指示することができる。
【００２０】
図６はこの発明の実施の形態１に係る室温表示設定画面を示す図である。使用者は用途設定において、室温表示を行う設定とした場合に、メイン表示部１１に表示された図６（ａ）に示す選択画面に基づいて、タッチパネル１２を介し、室温に係る表示の指示を行うことができる。本実施の形態においては、図６（ｂ）に示すように、室温を０℃〜１０℃、１１℃〜１５℃、１６℃〜２０℃、２１℃〜２５℃、２６℃〜３０℃、３１℃〜３５℃、３６℃〜の７区分に分け、それぞれ表示色、表示形式を指示することができる。また、異常、停止についても指示することができる。ここで、温度について、本実施の形態では７区分に分けるようにしたが、区分数を限定するものではない。また、各区分の温度の値についても指示できるようにすることができる。ここでは、室温について設定するようにしたが、例えば室内の湿度について設定できるようにしてもよい。
【００２１】
図７はこの発明の実施の形態１に係る運転状態表示設定画面を示す図である。使用者は用途設定において、運転状態表示を行う設定とした場合に、メイン表示部１１に表示された図７（ａ）に示す選択画面に基づいて、タッチパネル１２を介し、室温に係る表示の指示を行うことができる。本実施の形態においては、図７（ｂ）に示すように、運転、停止、異常、試運転、省エネルギー運転に対応する表示色及び表示形式を指示することができる。
【００２２】
以上のように、実施の形態１の空気調和機用コントローラー１によれば、複数色の発光表示を行うことができる発光表示部２０を有し、制御装置３０のデータ処理部３２が設定処理を行うことで、発光表示部２０の発光表示の有無、用途、各用途における表示色の設定を行えるようにしたので、使用者の意思により、発光表示部２０の発光表示を任意に設定を行うことができる。このため、例えば国、地域等により、色等が意味する内容が異なる場合であっても、使用者が、発光表示の表示色による取り間違いを行うことがなく、表示内容を正確に把握することができる。
【００２３】
実施の形態２．
図８はこの発明の実施の形態２に係る発光表示部２０による発光表示設定画面を示す図である。前述したように空気調和機用コントローラー１は、１０色表示を行うことができる。本実施の形態は、使用者が、各色におけるＲ（Ｒｅｄ：赤）、Ｇ（Ｇｒｅｅｎ：緑）Ｂ（Ｂｌｕｅ：青）の値を指示し、色調整を行うことができるようにするものである。また、光の点滅について点滅周期（速い、通常、遅い）を指示することができる。
【００２４】
色のＲＧＢの設定については、メイン表示部１１に各色を示すボタンと、ＲＧＢの各数値を増減させるための増減ボタンとを表示させ、使用者が指示できるようにする。このとき、選択された色及び数値で発光表示部２０を発光表示させ、指示しようとする色がどのような色になるかをわかりやすく示すことができる。同様に、選択された点滅周期で発光表示部２０を点滅させて、指示に係る点滅周期をわかりやすく示す。
【００２５】
以上のように、実施の形態２の空気調和機用コントローラー１によれば、表示色の調整設定を行えるようにしたので、表示色のより細かな設定を行うことができる。また、発光表示の点滅周期についても調整できるようにしたので、点滅をわかりやすく示すことができる。
【００２６】
実施の形態３．
図９はこの発明の実施の形態３に係る用途設定画面を示す図である。上述の実施の形態１では特に示さなかったが、本実施の形態においては、通常時における用途（通常用途）とメンテナンスサービス時における用途（メンテナンス用途）とに分けて、それぞれ発光表示部２０による発光表示を行う用途に係る設定を行うことができる。設定に係る指示はタッチパネル１２を介して行うことができる。
【００２７】
本実施の形態では通常用途に係る色表示設定について説明する。通常用途に係る設定のうち、一部の設定については実施の形態１でも説明している。ここでは、他の設定について説明する。例えば、実施の形態１では、室温表示に係る色表示設定を行うことができるものとして説明した。他にも例えば設定温度、風量、風向に係る色表示設定を行うことができる。
【００２８】
例えば、設定温度が低いと青色とし、設定温度が高いと赤色とするように設定することができる。設定湿度の場合も同様に設定値が低いと青色とし、設定値が高いと赤い色とするように設定することができる。また、例えば、冷房運転の場合には、設定温度が低いと濃い青色とし、設定温度が高いと薄い青色として、グラデーション表示となるような設定を行うことができる。暖房運転の場合には、設定温度が低いと薄い赤色とし、設定温度が高いと濃い赤色として、グラデーション表示となるような設定を行うことができる。さらに、温度設定の際に、室内温度との間で、所定の温度差以上となる設定がなされたときには、表示色を変更して知らせるようにする色表示設定を行うことができる。
【００２９】
また、風量が弱いと黄色とし、強いと濃い緑色とするように設定することができる。また、風向が下方向の場合には濃い青色とし、水平方向の場合には薄い青色となるように設定することができる。
【００３０】
また、通常用途に係る色表示設定では、時間経過に係る設定を行うことができる。従来は、時間の経過の表示等はコントローラ画面中において、現在時刻表示、機能実行経過時間、機能実行までのカウントダウン時間表示を行っていた。数値だけでは、直感的にどのくらいの時間が経過しているのかが分かり難いことがあった。
【００３１】
例えば、１日における時刻に関する色表示の設定を行うことができる。朝の時間帯を青色で表示し、夕方の時間帯を橙色で表示し、夜の時間帯を紫で表示する等の設定を行うことができる。また、例えば就寝時間に近づくと色を濃くし、起床時間に近づくと色を薄くする等の設定を行うことができる。また、機能実行に係る時間に関する色表示の設定を行うことができる。例えば、実行３０分前から黄色で表示し、実行１０分前から橙色で表示し、実行１分前から赤色で表示するように設定することができる。ここで、機能が実行された後は、経過時間を表示することで機能が実行されたことの表示としてもよい。
【００３２】
また、フィルターを掃除してからの経過時間に基づいて、濃い色に変化させていくように表示する設定を行うことができる。また、異常が発生したときの経過時間を色により表示する設定を行うことができる。そして、在室時間、不在時間をグラデーション変化させていくように表示する設定を行うことができる。
【００３３】
さらに、月、季節によって表示色を変更する、時分表示に加え、秒単位、１０秒単位で色を変更することで、秒の経過を表示する設定を行うこともできる。例えば発光表示部２０が６０色以上表示可能な場合は、秒単位での異なる色表示を行うことができる。
【００３４】
また、通常用途に係る色表示設定では、運転状態に係る設定を行うことができる。従来は、時間の経過の表示等はコントローラー画面中において、数値、文字、図形により表示していた。
【００３５】
例えば、運転においてサーモＯＮ中は濃い緑で表示し、サーモＯＦＦ中は薄い緑で表示する等の設定を行うことができる。ここで、デマンドレベルに応じた色を表示するように設定することもできる。また、例えばビル等におけるマルチエアコンのように、複数のコントローラーを有している場合には、処理動作をしているコントローラーが０以上５０％未満のときは白色で表示し、５０％以上９０％未満のときは黄色で表示し、９０％以上のときは緑色で表示する。
【００３６】
また、例えば、省エネルギーに関する機能実行しているときは緑色で表示し、快適機能に関する機能実行しているときは橙色で表示する等、実行可能な機能毎に色を割り当てて、実行に係る機能の色を表示するための設定を行うことができる。また、例えば運転の指示がそのコントローラーから行われた指示か、上位のコントローラーから行われた指示かにより表示する色を変更する設定を行うことができる。
【００３７】
また、通常用途に係る色表示設定では、コントローラーの操作に係る設定を行うことができる。例えば操作音、画面表示の変更に付随して色（輝度も含む）変更を行うための設定をすることができる。このとき、例えば制限により実行できない機能を操作しようとしたときには、操作できない旨の色表示を行うための設定をすることができる。また、パスワード入力等の操作において入力ミス等があった場合に、その旨の色表示を行うための設定をすることができる。
【００３８】
実施の形態４．
上述の実施の形態３においては、通常用途に係る色表示設定について説明した。本実施の形態では、さらにメンテナンス用途に係る色表示設定について説明する。
【００３９】
メンテナンス用途に係る色表示設定では、センサー検知結果に係る設定を行うことができる。例えば、検知値が小さい（低い）ときには薄い青色で表示し、大きくなる（高くなる）ほど濃くしていくように表示する等の設定を行うことができる。また、外気温度センサーの検知による外気温度と室温センサーの検知による室温との差に基づいて異なる色を表示する等の設定を行うことができる。
【００４０】
さらに、室内機、空気調和機用コントローラー１が人感センサーを有している場合には、人感センサーが検知することで、表示色を変化させる等の設定を行うことができる。また、人感センサーによる検知回数に基づいて異なる色を表示する等の設定を行うことができる。このため、例えば、使用者等が、室内の出入状況を表示された色により把握することができる。また、室内機、空気調和機用コントローラー１が照度センサーを有している場合には、照度センサーの検知に係る照度に基づいて表示色を変化させる等の設定を行うことができる。
【００４１】
また、メンテナンス用途に係る色表示設定では、異常検知に係る設定を行うことができる。例えば、異常の重大度に応じて、軽度であるときには黄色で表示し、重度の場合は赤色で表示する等、例えば暖色系のグラデーション等で表示する等の設定を行うことができる。このため、異常が頻発していても、その中で重度の異常を見過ごすようなことを防ぐことができる。
【００４２】
また、異常内容に応じて通信異常であるときには黄色で表示し、冷媒系異常であるときは赤色で表示し、電気系異常であるときは橙色で表示する等の設定を行うことができる。さらに、異常発生件数に応じて異なる色を表示する等の設定を行うことができる。
【００４３】
図１０はこの発明の実施の形態４に係る空気調和機用コントローラーに係るグループ表示等を説明するための図である。本実施の形態に係る空気調和機用コントローラーは実施の形態１で説明した空気調和機用コントローラー１と同様のコントローラーである。
【００４４】
例えば、図１０に示すように、ビル等に設置されるマルチエアコン（空気調和システム）では、１又は複数台の室外機（ＯＣ）５０、室内機（ＩＣ）６０を有している。また、室外機５０、室内機６０と通信線等により接続し、システム全体を管理する集中コントローラー７０、メンテナンスツール８０等を有していることも多い。そして、このような空気調和システムにおいては、例えば複数の室内機６０をグループに分けて管理、制御等している。そして、グループ内の室内機等に指示等するために各グループに空気調和機用コントローラー１を備えている。
【００４５】
例えば、使用者等が室内機を操作しようとしたときに、どの空気調和機用コントローラーを操作すればよいかわからなくなる等、室内機と空気調和機用コントローラーとの対応関係がわからなくなることがある。複数の空気調和機用コントローラーが並んで設置されている場合には特に確認しづらくなる。
【００４６】
そこで、本実施の形態では、室内機ＩＣと空気調和機用コントローラー１とで構成されるグループについて、グループ毎に割り当てられた色の表示を発光表示部２０が行えるようにするものである。
【００４７】
図１０に示すシステムでは、４つのグループに分かれている。グループ１は赤色、グループ２は緑色、グループ３は青色、グループ４は黄色が割り当てられる。また、各室内機６０にも、空気調和機用コントローラー１と同様の発光表示部６１を有しており、空気調和機用コントローラー１と合わせた色での表示を行うことができる。
【００４８】
集中コントローラー７０はグループ毎に割り付ける色を設定することができる機能を有している。そして、例えば、割り当ての設定が行われた各グループの色情報に係る信号を通信線等を介して室内機６０、空気調和機用コントローラー１に送る。信号を受けた室内機６０、空気調和機用コントローラー１は、信号内の割り当てに基づいて色表示の設定を行う。ここでは、集中コントローラー７０において設定を行うものとしているが、これに限定するものではない。例えば、空気調和機用コントローラー１において設定を行うことができる。
【００４９】
図１１は空気調和機用コントローラー１から室内機６０に送信する信号例を表す図である。例えばタッチパネル１２を介して操作指示されると、制御装置３０は、通信処理部３５を介して、指示に係る信号を室内機６０に送信する。このとき、例えば図１１（ａ）に示すように、操作（例えば運転開始）を表す信号に、任意に指定した色表示をさせるコマンドも信号に含めて送信する。ここで、グループに割り当てられた色を表示させるような信号を送信してもよい。信号を受けた室内機６０は操作に係る動作を実行するとともに、送られたコマンドに基づいて発光表示部６１に色表示させる。空気調和機用コントローラー１の操作に基づいて室内機６０が色表示を行うことで、グループ関係等、空気調和機用コントローラー１と室内機６０との対応関係を把握することができる。ここでは、操作時としたが、任意の時間に確認することもできる。また、空気調和機用コントローラー１から室内機６０に送信する信号に色表示させるコマンドを含めるようにしたが、これに限定するものではない。例えば室内機６０から空気調和機用コントローラー１に送信する信号に色表示させるコマンドを含めるようにしてもよい。また、空気調和の運転操作に係る信号だけでなく、他の操作に係る信号に色表示させるコマンドを含めるようにしてもよい。また、図１１（ｂ）のように、任意に指定した色表示をさせるコマンドのみの信号を送ることができるようにしてもよい。
【００５０】
また、システムに複数の空気調和機用コントローラー１が設置されている場合、ある空気調和機用コントローラー１等から他の空気調和機用コントローラー１に発光指示を行うことができる。例えば、設置者ではない、保守サービス、メンテナンス等を行う人の場合には、空気調和機用コントローラー１の設置場所がわからないことがある。
【００５１】
そこで、本実施の形態の空気調和機用コントローラー１においては、探している空気調和機用コントローラー１に割り当てられたアドレスと表示色のデータを入力できるようにする。そして、ある空気調和機用コントローラー１からアドレスと表示色のデータを入力すると、通信線を介して、入力に係るアドレスが割り当てられた信号が空気調和機用コントローラー１に送られる。信号を受信した空気調和機用コントローラー１は、発光表示部２０に送られたデータに基づく表示色で表示する。
【００５２】
ここでは、空気調和機用コントローラー１から探している空気調和機用コントローラー１に信号を送るようにしているが、例えば集中コントローラー７０、メンテナンスツール８０等から信号を送るようにしてもよい。
【００５３】
また、例えば室外機５０と表示色のデータとを指示すると、指示された室外機５０の冷媒系統の操作等のために接続された空気調和機用コントローラー１の発光表示部２０は、指示された表示色で表示する。このため、探している空気調和機用コントローラー１を見つけやすくなる。
【００５４】
また、例えばシステム設置を設置した後、試運転等を行う。例えば従来のコントローラーでは、複数の冷媒系統があるシステムにおいて、どの冷媒系統で試運転を完了したかどうかをチェックシート等で行っていた。また、運転のオンオフしかわからなかった。
【００５５】
そこで、本実施の形態の空気調和機用コントローラー１は、試運転に係る色表示を行うことができるようにしたものである。例えば、試運転を完了した冷媒系統の操作等に係る空気調和機用コントローラー１では、発光表示部２０に緑色の表示を行うようにする。また、試運転中は青色の表示を行うようにし、試運転を行っていない場合には赤色で表示する。
【００５６】
また、試運転中における状態について、試運転開始時には薄い青色で表示するようにし、終了時には濃い青色で表示する等、グラデーション表示を行うことができる。ここで、例えば試運転を終了した空気調和機用コントローラー１には緑色を表示させる等したが、例えば冷媒系統毎に試運転の状態を任意の色で設定できるようにしてもよい。
【００５７】
また、空気調和機用コントローラー１を設置すると、例えば室内機６０等から電源供給を受ける（受電する）が、電圧が低いと、通信波形の波高値が低くなり、通信異常になりやすくなる。そこで、従来は、オシロスコープ等による通信波形確認、テスター等による電圧確認を行っていた。本実施の形態の空気調和機用コントローラー１は、受電電圧を複数の区分に分け、各区分に色を割り当てて、受電電圧に合わせた色表示及びその設定を行えるようにしたものである。
【００５８】
例えば、受電電圧が１５Ｖ未満の場合は赤色で表示する。また、１５Ｖ以上２０Ｖ未満の場合は橙色で表示する。２０Ｖ以上２５Ｖ未満の場合は黄色で表示する。そして、２５Ｖ以上３０Ｖ未満の場合は緑色で表示する。ここで、各区分において表示する色を任意に設定することができる。このように、発光表示部２０において、受電電圧に基づく色表示を行うことで、例えば通信異常が生じた場合に、その一因となる受電状態の確認を容易にすることができる。そして、原因の早期発見につなげることができる。
【００５９】
以上のように、通常運用だけでなく、設置、保守、メンテナンス時においても色表示を行うようにすることで、メンテナンスを行う人等が、確認等を行いやすくすることができる。
【００６０】
上述の実施の形態では、壁取り付け型コントローラーについて説明したが、無線で空気調和機と無線通信を行って、指示入力、表示等を行うワイヤレスのリモートコントローラにも適用することができる。
【符号の説明】
【００６１】
１  空気調和機用コントローラー、１０  コントローラー本体、１１  メイン表示部、１２  タッチパネル、２０  発光表示部、３０  制御装置、３１  入力処理部、３２  データ処理部、３３  データ記憶部、３４  表示処理部、３５  通信処理部、５０  室外機、６０  室内機、６１  発光表示部、７０  集中コントローラー、８０  メンテナンスツール。
【図１】
2014126319.tif 000003
【図２】
2014126319.tif 000004
【図３】
2014126319.tif 000005
【図４】
2014126319.tif 000006
【図５】
2014126319.tif 000007
【図６】
2014126319.tif 000008
【図７】
2014126319.tif 000009
【図８】
2014126319.tif 000010
【図９】
2014126319.tif 000011
【図１０】
2014126319.tif 000012
【図１１】
2014126319.tif 000013